(57)【要約】
【課題】フォークリフトトラックのフォークからプラスチック製や金属製のパレットが滑り落ちる事を防止する装着具を提供する。
【解決手段】フォークリフトトラックのフォークに、表面に複数の突起や横溝或いは斜め溝を形成した弾性シートを貼ったフォークカバーをフォークに装着したり、この弾性シートの裏面に粘着剤を塗布して剥離用の紙やフィルムなどのカバーシートを貼り、そのカバーシートを剥がして直接フォークに貼ることによって、パレットの滑り止め効果を発揮させる。
【選択図】図１
0003100662.tif 000002
【実用新案登録請求の範囲】
【請求項１】
長さ方向の２分の１以上の表面に、多数の突起形状や横又は斜め方向に溝のある弾性シート材を貼ったフォークリフトトラックのフォーク或いはフォークカバー。
【請求項２】
裏面に粘着剤を塗布し、剥離用カバーシートを貼った請求項１に記載の弾性シート材。
【考案の詳細な説明】
【技術分野】
【０００１】  本考案は、フォークリフトトラック（以下フォークリフトと言う）のフォークからパレットが滑り落ちることを防ぐ装着具に関するものである。
【背景技術】
【０００２】  最近、物品を載せて運搬するパレットは、木製から硬質合成樹脂や金属製の材質の物が多くなってきた。
【考案の開示】
【考案が解決しようとする課題】
【０００３】  そのために、木製材質と異なりパレットの運搬中、滑りやすく、それを防止するために、フォークリフトのフォークの表面にゴムなど弾性質のシートを貼ったり、弾性質のシートを貼った一般に鞘フォークと称するフォークカバーをフォークに装着したりしていた。しかし、水や雨又は雪に濡れた場合や油がフォークにかかった場合には、それが滑剤となって特に木質と異なり堅い硬質樹脂や金属製のパレットの滑り性能を止めることが困難であり、又危険であった。
【課題を解決するための手段】
【０００４】  フォークリフトのフォーク、又はフォークカバーの長さ方向２分の１以上の表面に、複数の突起形状を形成させたり、溝を形成させることにより、パレットのフォークにかかる重量で弾性質への食い込みと同時にフォークの表面形状に多くの引っ掛かり箇所が出来て、その相乗効果により、パレットがフォークから滑ることを防止する。
【考案の効果】
【０００５】  従来、表面の平らなゴム質シートをフォークに貼った滑り止めフォークやフォークカバーの使用状態と比較して、硬質樹脂や金属製のパレットが運搬中のフォークから滑り落ちることが無くなり、作業安全に効果があった。【０００６】  又表面に多数の突起形状や溝のある弾性シートの裏面にフォークとよく接着する粘着剤や接着剤を塗布し、これをカバーする剥離紙やオレフィン樹脂系のシートを貼ったフォーク形状体により、フォークリフトのフォークに、剥離紙やオレフィン樹脂系のカバーシートを除いて弾性シートを貼り、手軽にパレットの滑り止めの効果を付与することが出来る。
【考案を実施するための最良の形態】
【０００７】  以下、実施例により本考案の実施の形態について説明する。
図１は、フォークリフトのフォーク（２）（３）にいわゆる鞘フォークと呼ばれるフォークカバー（１）を装着した状態の片方を示している斜視図である。フォークカバー（１）は、フォーク（３）の先端を挿入する鞘部分（４）とこれに続く金属板によって骨格が出来ており、図２のごとく、フォーク（２）の後部でボルト（５）とナット（６）などの留め具でフォークに（２）に留めてある。【０００８】  フォークカバー（１）の鞘部分（４）に続く金属板平坦部の上には複数の凸起（８）を形成した弾性シート（７）が接着してある。弾性シート（７）はゴム材の他、弾性のある柔軟な軟質合成樹脂材を使用しても良い。【０００９】  図３は、弾性シート（７）表面に横方向に複数の溝（９）を設けたものである。図では、中央部から左右に相互に溝を構成させてあるが、左右に溝を連通させたものでもよい。
図４はその状態のフォークカバー（１）を装着したフォーク（２）（３）の側面図である。【００１０】  図５は、溝（９）をくの字に形成させてたものであり、その下面には、粘着剤を塗布して、その上から粘着剤と接着しない剥離紙やオレフィン系のフィル厶を（１０）を貼った弾性シート（７）である。これをフォークリフトのフォークの表面に接着させることにより、どのフォークリフトでもパレットがずれ落ちしない状態を確保することが出来る。
【図面の簡単な説明】
【００１１】
【図１】本考案の滑り止め装着具をつけたフォークの斜視図である。
【図２】滑り止め装着具をつけたフォークを後部より見た側面図である。
【図３】表面に横溝を形成した弾性シートの斜視図である。
【図４】表面に左右通し溝を設けた本装着具を付けたフォークの側面図である。
【図５】裏面に粘着剤と剥離紙を付けた表面くの字溝を設けた弾性シートの斜視図である。
【符号の説明】
【００１２】  １  フォークカバー
２  フォーク
３  フォーク
４  鞘部分
５  ボルト
６  ナット
７  弾性シート
８  突起
９  溝
１０  剥離紙
【図１】
0003100662.tif 000003
【図２】
0003100662.tif 000004
【図３】
0003100662.tif 000005
【図４】
0003100662.tif 000006
【図５】
0003100662.tif 000007
【手続補正書】
【提出日】平成15年10月24日(2003.10.24)
【手続補正１】
【補正対象書類名】実用新案登録請求の範囲
【補正対象項目名】全文
【補正方法】変更
【補正の内容】
【実用新案登録請求の範囲】
【請求項１】
フォークリフトトラックのフォークを挿入する、長さ方向の２分の１以上の表面に多数の突起形状や横又は斜め方向に溝のある弾性シート材を貼ったフォークカバー。
【請求項２】
長さ方向の２分の１以上の表面に、多数の突起形状や横又は斜め方向に溝のある弾性シート材を貼ったフォークリフトトラックのフォーク。
【請求項３】
フォークリフトトラックのフォークの幅形状で、表面は多数の突起形状や横又は斜め方向に溝があり、裏面は粘着剤を塗布して、それを覆ったカバーシートを有する弾性シート材。
【手続補正２】
【補正対象書類名】明細書
【補正対象項目名】全文
【補正方法】変更
【補正の内容】
【考案の詳細な説明】
【技術分野】
【０００１】  本考案は、フォークリフトトラック（以下フォークリフトと言う）のフォークからパレットが滑り落ちることを防ぐ装着具に関するものである。
【背景技術】
【０００２】  最近、物品を載せて運搬するパレットは、木製から硬質合成樹脂や金属製の材質の物が多くなってきた。
【考案の開示】
【考案が解決しようとする課題】
【０００３】  そのために、木製材質と異なりフォークリフトによるパレットの運搬中、滑りやすく、それを防止するために、フォークリフトのフォークの表面にゴムなど弾性質のシートを貼ったり、弾性質のシートを貼った一般に鞘フォークと称するフォークカバーをフォークに装着したりしていた。しかし、水や雨又は雪に濡れた場合や油がフォークにかかった場合には、それが滑剤となって特に木質と異なり堅い硬質樹脂や金属製のパレットの滑り易さを止めることが困難であり、又危険であった。
【課題を解決するための手段】
【０００４】  フォークリフトのフォーク、又はフォークカバーの長さ方向２分の１以上の表面に、複数の突起形状を形成させたり、横溝や斜め形状の溝を連結して形成させた弾性質のシートを貼ることにより、パレットのフォークにかかる重量で弾性体への食い込みと同時にフォークの表面形状に多くの引っ掛かり箇所が出来て、その相乗効果により、パレットがフォークから滑ることを防止する。
【考案の効果】
【０００５】  従来、表面の平らなゴム質シートをフォークに貼ったり、フォークカバーに貼ってフォークをこれに挿入して使用していた状態と比較して、硬質樹脂や金属製のパレットが運搬中のフォークから滑り落ちることが無くなり、作業安全に効果があった。【０００６】  又表面に多数の突起形状や溝のある弾性シートの裏面にフォークとよく接着する粘着剤を塗布し、これをカバーする剥離紙やオレフィン樹脂系のシートを貼ったフォーク形状体を準備しておき、フォークリフトのフォークに、剥離紙やオレフィン樹脂系のカバーシートを除いて弾性シートを貼り、手軽にパレットの滑り止めの効果を付与することが出来る。
【考案を実施するための最良の形態】
【０００７】  以下、実施例により本考案の実施の形態について説明する。  図１は、フォークリフトのフォーク（２）（３）にいわゆる鞘フォークと呼ぶフォークカバー（１）をフォーク（３）の水平部に装着した状態の２本の内片方を示している斜視図である。フォークカバー（１）は、フォーク（３）の先端を挿入する鞘部分（４）とこれに続く金属平坦板（１１）に続く左右の側板によって構成されており、図２のごとく、フォークカバー１の金属平坦部（１１）に続く両側部をフォーク（２）の後部でボルト（５）とナット（６）などの留め具で留めてある。【０００８】  又フォークカバー（１）の鞘部分（４）に続く金属平坦板（１１）の上に複数の突起（８）を形成した弾性シート（７）が接着してある。弾性シート（７）はゴム材の他、弾性ある軟質合成樹脂材を使用しても良い。【０００９】  図３は、弾性シート（７）表面に横方向に複数の溝（９）を形成させたものである。図では、中央部から左右に交互に溝を構成させてあるが、左右に溝を連通させたものでもよい。この弾性シートの裏面に、接着剤を塗布してフォークの表面の必要とする長さに直接接着しても良い。或いは図５のごとく、その裏面にフォークとの粘着剤を塗布して剥離紙（１０）やオレフィン樹脂系のフィルムでカバーして必要時に使用しても良い。【００１０】  図４は溝を左右に連通させた弾性シート（７）を金属平坦板（１１）に貼ったフォークカバー（１）をフォーク（３）に装着し、フォーク（２）の後部で留めた状態の側面を示している。【００１１】  図５は、表面に溝（９）をくの字に形成させ、その下面には、フォークとの粘着剤を塗布して、その上から粘着剤と接着しない剥離紙（１０）やオレフィン樹脂系のフィルムカバーシートを貼った弾性シート（７）である。長さは必ずしも一定としないで、必要に応じた長さに切り剥離紙などを除去して、これをフォークリフトのフォークの表面に接着させることにより、どの長さのフォークでもパレットがずれ落ちない状態を確保することが出来る。
【図面の簡単な説明】
【００１２】
【図１】本考案の内、表面に複数の突起の滑り止めを形成した弾性シートを貼ったフォークカバーを装着したフォークリフトのフォークの斜視図である。
【図２】図１のフォーク後部より見た側面図である。
【図３】表面に横溝を形成した弾性シートの斜視図である。
【図４】表面に左右通し溝を形成した弾性シートを貼ったフォークカバーをフォークに装着したフォークリフトのフォークの側面図である。
【図５】裏面に粘着剤と剥離紙を付けた表面にくの字溝を形成した弾性シートの斜視図である。
【符号の説明】
【００１３】        １  フォークカバー          ２  フォーク        ３  フォーク                ４  鞘部分        ５  ボルト                  ６  ナット        ７  弾性シート              ８  突起        ９  溝                    １０  剥離紙      １１  金属平坦板
【手続補正３】
【補正対象書類名】図面
【補正対象項目名】全図
【補正方法】変更
【補正の内容】
【図１】
0003100662.tif 000008
【図２】
0003100662.tif 000009
【図３】
0003100662.tif 000010
【図４】
0003100662.tif 000011
【図５】
0003100662.tif 000012